(57)【要約】      （修正有）【課題】眼科手術に用いる拡大鏡部品である液体接眼鏡を提供する。【解決手段】凹レンズ１１を備える本体１下方にはサポート部品３を設置し、凹レンズ１１の上表面には、重水等の適当な液体を充填後、透明片２により凹レンズ１１の上方を封鎖し、重水を密閉空間内に封鎖し、医師が眼科手術を行う時には、サポート部品３を眼球上に置き、医師は観察する必要がある眼球位置に応じて、適当に眼球を傾け、重水は重力作用により、水平を保持し、凹レンズ１１の結像範囲内において、様々な屈折度のプリズムを形成する。【選択図】図１
0003148737.tif 000002
【実用新案登録請求の範囲】
【請求項１】
本体、重水、透明片、サポート部品を備え、
前記本体は、凹レンズを備え、
前記重水は、前記本体の凹レンズ上表面に充填し、
前記透明片は、前記本体上表面に密着させ、これにより前記凹レンズの上表面と前記本体の上表面との間には、密閉空間を形成し、このようにして前記重水は、前記密閉空間内に充填され、
前記サポート部品は、前記本体の下方に設置されることを特徴とする液体接眼鏡。
【請求項２】
前記本体は、凹レンズであることを特徴とする請求項１に記載の液体接眼鏡。
【請求項３】
前記密閉空間はさらに、他の液体を混合しても良いことを特徴とする請求項１に記載の液体接眼鏡。
【請求項４】
前記液体は、油であることを特徴とする請求項３に記載の液体接眼鏡。
【請求項５】
前記サポート部品は、環状壁を備え、前記環状壁の下端は延伸し、錘状のサポートスタンドを形成し、前記環状壁の内径は、前記本体の下縁外径に密着可能であることを特徴とする請求項１に記載の液体接眼鏡。
【請求項６】
前記サポート部品は、前記本体下縁から直接延伸して形成する錘状のサポートスタンドであることを特徴とする請求項１に記載の液体接眼鏡。
【考案の詳細な説明】
【技術分野】
【０００１】
本考案は液体接眼鏡に関し、特に眼科手術に用いる拡大鏡部品である液体接眼鏡に関する。
【背景技術】
【０００２】
眼科医は眼球の検査或いは手術を行う時、各種の眼底鏡、接触式レンズ、スリットランプ、超音波等の機器や設備を用い、病因を確定し治療に当たる。
【０００３】
従来の接触式レンズは、平面鏡、凹面鏡、プリズム等を含む。後極部の検査には、平面鏡を使用する。一方、周辺網膜の検査には、固定屈折率がそれぞれ異なるプリズムを使用する。眼科医は該プリズムを眼球の上に直接置き、検査しようとする部位の方向に従い、プリズムの方向を転換させ、或いは屈折率の異なるプリズムに交換しなければならないため、操作が面倒で時間がかかり、眼球を傷つける恐れもある。本考案は、従来の眼科検査用レンズの上記した欠点に鑑みてなされたものである。
【考案の開示】
【考案が解決しようとする課題】
【０００４】
本考案が解決しようとする主要な課題は、眼球表面に直接置くことができ、操作中に眼球上で頻繁に交換、回転を行う必要がなく、単一の接眼鏡により眼球を観察する角度（後極部から周辺網膜まで）を便利に調整可能で、操作はより簡単で時間を節減可能で、しかも眼球を誤って傷つける恐れを大幅に低下させることができる眼科検査或いは手術に用いる液体接眼鏡を提供することである。
【課題を解決するための手段】
【０００５】
上記課題を解決するため、本考案は下記の液体接眼鏡を提供する。
液体接眼鏡は、眼科手術専用の拡大鏡で、凹レンズを備える本体下方にはサポート部品を設置し、該凹レンズの上表面には、重水等の適当な液体を充填後、透明片により該凹レンズの上方を封鎖し、該重水を密閉空間内に封鎖する。
医師が眼科手術を行う時には、該サポート部品を眼球上に置き、医師は観察する必要がある眼球位置に応じて、適当に眼球を傾け、重水は重力作用により、自然に平面鏡或いは各種屈折率のプリズムを形成することができる。
該本体はそのものを直接凹レンズに成型することもでき、また該本体上に凹レンズを設置することもできる。
該凹レンズ上表面に形成する密閉空間内には重水を充填する以外に、該密閉空間内には、油等の他の液体を入れることもでき、これにより光の屈折効果を改変することができる。
該サポート部品は、該本体と一体成型することができ、また別の部品を該本体の下縁に設置することもできる。
該サポート部品が独立した部品である時、該サポート部品は環状壁を備え、該環状壁の下端は延伸し錘状のサポートスタンドを形成し、該環状壁の内径は、該本体の下縁の外径に密着することができる。
【考案の効果】
【０００６】
本考案の液体接眼鏡により、眼球に接触し操作を行う時、回転或いは交換は不要で、元の位置において傾斜角度を変えることができるため、操作は簡単で、省力化を図ることができ、しかも眼球を誤って傷つける恐れを払拭することができる。
【考案を実施するための最良の形態】
【０００７】
以下に図面を参照しながら本考案を実施するための最良の形態について詳細に説明する。
【０００８】
図１、図２、図３に示すように、本考案一実施形態による液体接眼鏡の第一最適実施形態は、本体１、透明片２、サポート部品３、適当な重水４を備える。本体１は、一体成型方式で、中央に凹レンズ１１を形成し、本体１の下端にはサポート部品３の組合せに用いる下縁１２を形成する。凹レンズ１１の曲度には制限がなく、凹レンズ１１上表面と、本体１の上表面の間には、空間を形成する。空間内には適量の重水４を充填し、透明片２により本体１上表面を覆い、密封する。透明片２と本体１の上表面とを結合させる密封方式は、高周波技術を用いることができる。または、接着剤を利用し、透明片２下面の周縁と本体１の上表面とを、粘着固定させ、透明片２と凹レンズ１１の上表面との間に、密閉空間を構成することもできる。凹レンズ１１は、独立した部品で、凹レンズを円筒状の本体１内径中に結合しても良いが、この実施形態の図示はない。
【０００９】
重水４は、比重が水より大きい液体で、特定の液体に限定するものではなく、凹レンズ１１に対応させ、光の屈折効果を改変する媒介である。よって、重水以外にも、密閉空間中には他の液体を充填し、重水と他の液体との混合液を形成することもできる。例えば、重水と油を密閉空間に充填することができ、この場合、重水の比重は油より大きいため、重水は油の下方に位置する。
【００１０】
サポート部品３は、人体に対してアレルギー反応を起こさないシリコンゴム或いは他の材料により製造し、環状壁３１を形成する。環状壁３１の下端は、錐状のサポートスタンド３２を延伸し、環状壁３１の内径は、本体１の下縁１２の外径に密着する。サポートスタンド３２は、凹レンズ１１を通して行う検査効果に悪影響を及ぼすことがないよう、上端が小さく下端が大きい錘状体を呈する。
【００１１】
図４は、本考案第二最適実施形態の構造を示す平面断面図である。図に示すように、本体１を成型すると同時に、シリコンゴム、或いは人体に対してアレルギー反応を起こさない他の軟質材料を利用し、錘状のサポートスタンド３２を一体成型し、上記した独立サポート部品３に置換することができる。
【００１２】
図５は、本考案一実施形態による液体接眼鏡を眼科手術に使用する様子を示す使用状態概略図である。図に示すように、眼科医が本考案一実施形態による液体接眼鏡を利用し、眼科手術を行う時には、サポート部品３を眼球上に直接置き、医師は、観察が必要な眼球の位置に応じて、適当に眼球の向きを変えることができる。本体１が眼球の傾斜に従い傾いても、重水４は重力作用により水平状態を保持する。これにより重水４の異なる位置には、違った厚みが形成され、異なる屈折率が実現される。こうして液体プリズムを構成し、サポート部品３周辺において、凹レンズにより拡大観察が可能となる。本考案一実施形態による液体接眼鏡は、眼球に接触し操作を行う時、回転或いは交換が不要で、元の位置において角度を変えることができるため、操作は簡易で、省力化が図れ、眼球を誤って傷つける恐れもない。
【図面の簡単な説明】
【００１３】
【図１】本考案第一最適実施形態の部品の組合せ関係を示す立体分解図である。
【図２】図１の部品構造の平面断面分解図である。
【図３】図２の部品を組合せ後の構造の平面断面図である。
【図４】本考案第二最適実施形態の構造を示す平面断面図である。
【図５】本考案一実施形態による液体接眼鏡を眼科手術に使用する様子を示す使用状態概略図である。
【符号の説明】
【００１４】
１  本体
１１  凹レンズ
１２  下縁
２  透明片
３  サポート部品
３１  環状壁
３２  サポートスタンド
４  重水
【図１】
0003148737.tif 000003
【図２】
0003148737.tif 000004
【図３】
0003148737.tif 000005
【図４】
0003148737.tif 000006
【図５】
0003148737.tif 000007